【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  通信装置であって、
複数の通信相手と通信する通信手段と、
前記通信手段により複数の通信相手と通信中に、送信すべきデータの有無を検出するデータ検出手段と、
複数の通信相手の情報を表示する表示手段と、
前記表示手段に表示される情報を基にデータ送信を行なう回線を選択する回線選択手段を有し、
前記回線選択手段により選択された回線を介してデータ送信を行なうことを特徴とする通信装置。
【請求項２】  前記データ送信は、ファクシミリ送信であることを特徴とする請求項１に記載の通信装置。
【請求項３】  前記データ検出手段は、送信原稿を検出することを特徴とする請求項１に記載の通信装置。
【請求項４】  前記データ検出手段による前記送信すべきデータの検出に基づいて、前記表示手段は、複数の通信相手の情報を表示することを特徴とする請求項１に記載の通信装置。
【請求項５】  通信相手情報を入力するキー入力手段を有し、
前記回線選択手段により回線が選択され、かつ、キー入力手段より新たな通信相手情報が入力された場合、前記回線選択手段により選択した回線を切断し、空いた回線を用いてデータ通信を行なうことを特徴とする請求項１に記載の通信装置。
【請求項６】  通信装置であって、
複数の通信相手と通信する通信手段と、
前記通信手段により複数の通信相手と通信中に、データ信号を検出するデータ信号検出手段と、
前記データ信号検出手段の検出結果に基づきデータ受信を行なう回線を選択する回線選択手段を有し、
前記回線選択手段により選択された回線からのデータ受信を行なうことを特徴とする通信装置。
【請求項７】  複数の通信相手との通信の信号を合成／分離するスイッチ手段と、
前記通信手段による複数の通信相手との通信中は前記スイッチ手段により合成された信号を前記データ信号検出手段に接続する接続手段と、
前記接続手段により前記スイッチ手段により合成された信号を前記データ信号検出手段に接続している際に、前記データ信号検出手段によりデータ信号を検出した場合、データ信号を受信した回線を検出し、該検出した回線からのデータ受信を行なうことを特徴とする請求項６に記載の通信装置。
【請求項８】  通信装置であって、
複数の通信相手と通信する通信手段と、
前記通信手段により複数の通信相手と通信中に、データ受信を行なうデータ受信手段と、
複数の通信相手の情報を表示する表示手段と、
前記表示手段に表示される情報を基にデータ受信を行なう回線を選択する回線選択手段を有し、
前記回線選択手段により選択された回線からのデータ受信を行なうことを特徴とする通信装置。
【請求項９】  通信装置の制御方法であって、
複数の通信相手と通信中に、送信すべきデータの有無を検出するデータ検出工程と、
複数の通信相手の情報を表示する表示工程と、
前記表示工程において表示される情報を基にデータ送信を行なう回線を選択する回線選択工程を有し、
前記回線選択工程において選択された回線を介してデータ送信を行なうことを特徴とする通信装置の制御方法。
【請求項１０】  通信装置の制御方法であって、
複数の通信相手と通信中に、データ信号を検出するデータ信号検出工程と、
前記データ信号検出工程における検出結果に基づきデータ受信を行なう回線を選択する回線選択工程を有し、
前記回線選択工程において選択された回線からのデータ受信を行なうことを特徴とする通信装置の制御方法。
【請求項１１】  通信装置の制御方法であって、
複数の通信相手と通信中に、データ受信を行なうデータ受信工程と、
複数の通信相手の情報を表示する表示工程と、
前記表示工程において表示される情報を基にデータ受信を行なう回線を選択する回線選択工程を有し、
前記回線選択工程において選択された回線からのデータ受信を行なうことを特徴とする通信装置の制御方法。
【請求項１２】  通信装置の制御プログラムを格納したコンピュータ読取可能な記憶媒体であって、
複数の通信相手と通信中に、送信すべきデータの有無を検出するデータ検出工程と、
複数の通信相手の情報を表示する表示工程と、
前記表示工程において表示される情報を基にデータ送信を行なう回線を選択する回線選択工程を有し、
前記回線選択工程において選択された回線を介してデータ送信を行なうことを特徴とする通信装置の制御プログラムを格納したコンピュータ読取可能な記憶媒体。
【請求項１３】  通信装置の制御プログラムを格納したコンピュータ読取可能な記憶媒体であって、
複数の通信相手と通信中に、データ信号を検出するデータ信号検出工程と、
前記データ信号検出工程における検出結果に基づきデータ受信を行なう回線を選択する回線選択工程を有し、
前記回線選択工程において選択された回線からのデータ受信を行なうことを特徴とする通信装置の制御プログラムを格納したコンピュータ読取可能な記憶媒体。
【請求項１４】  通信装置の制御プログラムを格納したコンピュータ読取可能な記憶媒体であって、
複数の通信相手と通信中に、データ受信を行なうデータ受信工程と、
複数の通信相手の情報を表示する表示工程と、
前記表示工程において表示される情報を基にデータ受信を行なう回線を選択する回線選択工程を有し、
前記回線選択工程において選択された回線からのデータ受信を行なうことを特徴とする通信装置の制御プログラムを格納したコンピュータ読取可能な記憶媒体。
【手続補正２】
【補正対象書類名】明細書
【補正対象項目名】０００９
【補正方法】変更
【補正の内容】
【０００９】
本発明の課題は、複数の通信相手との通信中に容易な操作により、データ通信を行なえるようにすることにある。
【手続補正３】
【補正対象書類名】明細書
【補正対象項目名】００１０
【補正方法】変更
【補正の内容】
【００１０】
【課題を解決するための手段】
以上の課題を解決するために、本発明においては、複数の通信相手と通信中に、送信すべきデータの有無を検出し、複数の通信相手の情報を表示し、表示される情報を基にデータ送信を行なう回線を選択し、選択された回線を介してデータ送信を行なう構成を採用した。
【手続補正４】
【補正対象書類名】明細書
【補正対象項目名】００１１
【補正方法】変更
【補正の内容】
【００１１】
また、複数の通信相手と通信中に、データ信号を検出し、データ信号の検出結果に基づきデータ受信を行なう回線を選択し、選択された回線からのデータ受信を行なう構成を採用した。
【手続補正５】
【補正対象書類名】明細書
【補正対象項目名】００１２
【補正方法】変更
【補正の内容】
【００１２】
また、複数の通信相手と通信中に、複数の通信相手の情報を表示し、表示される情報を基にデータ受信を行なう回線を選択し、選択された回線からのデータ受信を行なう構成を採用した。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】０１１５
【補正方法】変更
【補正の内容】
【０１１５】
以上説明したように、ＩＳＤＮ（統合サービスディジタル網）のようなデジタル公衆回線インタフェースを収容し、少なくとも１つの内線電話機能およびデータ通信機能を備えた通信装置、その制御方法、およびその制御プログラムを格納したコンピュータ読取可能な記憶媒体において、発信または着信時にＢチャネルを接続し第１の通信を行なう第１の通信制御、および発信または着信時にＢチャネルを接続し第２の通信を行なう第２の通信制御を行ない、前記第１および第２の通信を用いて三者通話を行なわせ、前記三者通話中にデータ送信すべきデータの有無を検出し、前記第１の通信および第２の通信の回線情報を表示するとともに、前記表示工程で表示される情報を基にデータ送信を行なう回線を選択し、前記回線選択工程により選択された回線に対してデータ送信を行なう構成を採用しているので、２Ｂチャネルを用いて三者通話を行っているときに、三者通話を終了させることなく、通話相手とＴ３０ファクシミリプロトコルなど標準のプロトコルを用いたデータ送受信を行なうことができ、三者通話中に容易な操作により、高い互換性で簡単安価にファクシミリ通信などのデータ通信を行なえる、という優れた効果がある。また、非標準のプロトコルおよびハードウェアを用いることがないため、簡単安価に実施でき、互換性を損なうことなく多様な相手端末との間で三者通話およびデータ通信を行なうことができる。
【手続補正１０】
【補正対象書類名】明細書
【補正対象項目名】０１２０
【補正方法】変更
【補正の内容】
【０１２０】
あるいは、発信または着信時にＢチャネルを接続し第１の通信を行なう第１の通信制御、および発信または着信時にＢチャネルを接続し第２の通信を行なう第２の通信制御を行ない、前記第１および第２の通信を用いて三者通話を行なわせ、前記第１の通信および第２の通信の回線情報を表示し、表示される情報を基にデータ受信を行なう回線を選択し、選択された回線からのデータ受信を行なう構成を採用すれば、容易な操作により、簡単安価かつ高い互換性で、三者通話中にユーザは回線表示を視認した上、手動回線選択操作を行なうことにより、三者通話から手動でデータ受信に移行することができる、という優れた効果がある。
【発明の効果】
以上のように本発明によれば、複数の通信相手との通信中に容易な操作により、データ通信を行なえる。